(57)【要約】【課題】視認性良好に映像情報を拡大表示する。【解決手段】デジタル放送受信機のＭＰＵ１１は、リモコン３を介してユーザからの操作入力を受け付け、受け付けられた操作入力に基づいて、受信部１５を介して受信されたデジタル放送の映像情報に対応する静止画像情報を取得する静止画像取得部１１１と、リモコン３を介してユーザからの操作入力を受け付け、受け付けられた操作入力に基づいて、静止画像取得部１１１によって取得された静止画像情報の内、拡大する対象の領域である拡大領域を設定する領域設定部１１４と、拡大領域に含まれる静止画像情報を、ディスプレイ２１に予め設定された拡大倍率に拡大して表示する拡大表示部１１５と、を備えている。【選択図】図２
2008294898.tif 000002
【特許請求の範囲】
【請求項１】
デジタル放送を受信し、受信した映像情報をモニタに表示可能に接続されたデジタル放送受信装置であって、
予め設定された１のチャンネルのデジタル放送を受信する受信手段と、
外部からの操作入力を受け付け、受け付けられた操作入力に基づいて、前記受信手段を介して受信された映像情報に対応する静止画像情報を取得する静止画像取得手段と、
外部からの操作入力を受け付け、受け付けられた操作入力に基づいて、前記静止画像取得手段によって取得された静止画像情報の内、拡大する対象の領域である拡大領域を設定する領域設定手段と、
前記拡大領域に含まれる静止画像情報を、前記モニタに予め設定された拡大倍率に拡大して表示する拡大表示手段と、
を備えることを特徴とするデジタル放送受信装置。
【請求項２】
前記領域設定手段は、前記静止画像取得手段によって取得された静止画像情報を前記モニタに表示すると共に、外部からの操作入力を受け付け、受け付けられた操作入力に基づいて、予め設定された複数の拡大領域の中から１の拡大領域を選択することによって拡大領域を設定することを特徴とする請求項１に記載のデジタル放送受信装置。
【請求項３】
外部からの操作入力を受け付け、受け付けられた操作入力に基づいて、前記拡大倍率を設定する倍率設定手段を備え、
前記領域設定手段は、前記倍率設定手段によって設定された拡大倍率に対応する複数の拡大領域を選択可能に前記モニタに表示し、
前記拡大表示手段は、前記拡大領域に含まれる静止画像情報を、前記倍率設定手段によって設定された拡大倍率に拡大して前記モニタに表示することを特徴とする請求項２に記載のデジタル放送受信装置。
【請求項４】
前記モニタの解像度、及び、前記静止画像取得手段によって取得された静止画像情報の解像度に基づいて、選択可能な複数の拡大倍率を求める倍率算出手段を備え、
前記倍率設定手段は、外部からの操作入力を受け付け、受け付けられた操作入力に基づいて、前記倍率算出手段によって求められた複数の拡大倍率の中から１の拡大倍率を選択することによって前記拡大倍率を設定することを特徴とする請求項３に記載のデジタル放送受信装置。
【発明の詳細な説明】
【技術分野】
【０００１】
本発明は、デジタル放送を受信し、受信した映像情報をモニタに表示可能に接続されたデジタル放送受信装置に関する。
【背景技術】
【０００２】
デジタル放送では、例えば、画素数が横方向に１９２０画素であり、縦方向に１０８０画素であるＨＤ（Ｈｉｇｈ  Ｄｅｆｉｎｉｔｉｏｎ）映像が放送されており、高品位の映像を視聴可能になっている。しかし、解像度の低いモニタに表示する場合には、受信された映像情報がＨＤ映像である場合であっても、高品位の映像を視聴することはできない。このような場合には、映像の一部を拡大して表示することにより、視認性を向上することが考えられる。
【０００３】
映像の一部を拡大して表示する種々の方法、装置等が提案されている。例えば、複数の小画面から選択された一の小画面の位置情報と倍率情報とに基づいて、選択された一の小画面を拡大表示することが可能な拡大基準位置を決定し、拡大基準位置と倍率情報とに基づいて、選択された一の小画面を表示部上に拡大表示させ、拡大表示された小画面に、受信した番組の映像情報を表示させるテレビジョン受像装置が開示されている（特許文献１参照）。
【特許文献１】特開２００７-６０５５５号公報
【発明の開示】
【発明が解決しようとする課題】
【０００４】
しかしながら、上記テレビジョン受像装置等の従来の放送受信装置においては、映像情報を表示するモニタの解像度に合わせて映像情報が変換される（＝ダウンコンバートされる）ため、単に映像情報を拡大表示しても、視認性を向上することは困難である。
【０００５】
本発明は、上記課題に鑑みてなされたものであって、視認性良好に映像情報を拡大表示することの可能なデジタル放送受信装置を提供することを目的としている。
【課題を解決するための手段】
【０００６】
上記目的を達成するために請求項１に記載のデジタル放送受信装置は、デジタル放送を受信し、受信した映像情報をモニタに表示可能に接続されたデジタル放送受信装置であって、予め設定された１のチャンネルのデジタル放送を受信する受信手段と、外部からの操作入力を受け付け、受け付けられた操作入力に基づいて、前記受信手段を介して受信された映像情報に対応する静止画像情報を取得する静止画像取得手段と、外部からの操作入力を受け付け、受け付けられた操作入力に基づいて、前記静止画像取得手段によって取得された静止画像情報の内、拡大する対象の領域である拡大領域を設定する領域設定手段と、前記拡大領域に含まれる静止画像情報を、前記モニタに予め設定された拡大倍率に拡大して表示する拡大表示手段と、を備えることを特徴としている。
【０００７】
請求項２に記載のデジタル放送受信装置は、請求項１に記載のデジタル放送受信装置であって、前記領域設定手段が、前記静止画像取得手段によって取得された静止画像情報を前記モニタに表示すると共に、外部からの操作入力を受け付け、受け付けられた操作入力に基づいて、予め設定された複数の拡大領域の中から１の拡大領域を選択することによって拡大領域を設定することを特徴としている。
【０００８】
請求項３に記載のデジタル放送受信装置は、請求項２に記載のデジタル放送受信装置であって、外部からの操作入力を受け付け、受け付けられた操作入力に基づいて、前記拡大倍率を設定する倍率設定手段を備え、前記領域設定手段が、前記倍率設定手段によって設定された拡大倍率に対応する複数の拡大領域を選択可能に前記モニタに表示し、前記拡大表示手段が、前記拡大領域に含まれる静止画像情報を、前記倍率設定手段によって設定された拡大倍率に拡大して前記モニタに表示することを特徴としている。
【０００９】
請求項４に記載のデジタル放送受信装置は、請求項３に記載のデジタル放送受信装置であって、前記モニタの解像度、及び、前記静止画像取得手段によって取得された静止画像情報の解像度に基づいて、選択可能な複数の拡大倍率を求める倍率算出手段を備え、前記倍率設定手段が、外部からの操作入力を受け付け、受け付けられた操作入力に基づいて、前記倍率算出手段によって求められた複数の拡大倍率の中から１の拡大倍率を選択することによって前記拡大倍率を設定することを特徴としている。
【発明の効果】
【００１０】
請求項１に記載のデジタル放送受信装置によれば、受信手段によって、予め設定された１のチャンネルのデジタル放送が受信され、外部からの操作入力が受け付けられ、受け付けられた操作入力に基づいて、受信手段を介して受信された映像情報に対応する静止画像情報が取得される。そして、外部からの操作入力が受け付けられ、受け付けられた操作入力に基づいて、取得された静止画像情報の内、拡大する対象の領域である拡大領域が設定され、拡大領域に含まれる静止画像情報が、モニタに予め設定された拡大倍率に拡大して表示されるため、視認性良好に映像情報に対応する静止画像情報を拡大表示することができる。
【００１１】
すなわち、受信手段を介して受信されたデジタル放送の映像情報に対応する静止画像情報が取得され、取得された静止画像情報の内、拡大する対象の領域である拡大領域が設定され、拡大領域に含まれる静止画像情報が、モニタに予め設定された拡大倍率に拡大して表示されるため、静止画像情報がデジタル放送の映像情報に対応するものである（＝ＨＤ映像等の高品位の映像情報である）ので、モニタの解像度が低い場合であっても、視認性良好に映像情報に対応する静止画像情報を拡大表示することができるのである。
【００１２】
請求項２に記載のデジタル放送受信装置によれば、取得された静止画像情報がモニタに表示されると共に、外部からの操作入力が受け付けられ、受け付けられた操作入力に基づいて、予め設定された複数の拡大領域の中から１の拡大領域を選択することによって拡大領域が設定されるため、利便性良好に映像情報に対応する静止画像情報を拡大表示することができる。
【００１３】
すなわち、取得された静止画像情報がモニタに表示されると共に、外部からの操作入力が受け付けられ、受け付けられた操作入力に基づいて、予め設定された複数の拡大領域の中から１の拡大領域を選択することによって拡大領域が設定されるため、ユーザは拡大領域を容易に設定することができるので、利便性良好に映像情報に対応する静止画像情報を拡大表示することができるのである。
【００１４】
請求項３に記載のデジタル放送受信装置によれば、外部からの操作入力が受け付けられ、受け付けられた操作入力に基づいて、拡大倍率が設定され、設定された拡大倍率に対応する複数の拡大領域が選択可能にモニタに表示される。そして、拡大領域に含まれる静止画像情報が、設定された拡大倍率に拡大してモニタに表示されるため、更に利便性良好に映像情報に対応する静止画像情報を拡大表示することができる。
【００１５】
すなわち、拡大領域に含まれる静止画像情報が、設定された拡大倍率に拡大してモニタに表示されるため、ユーザが所望する拡大倍率に設定することができるので、更に利便性良好に映像情報に対応する静止画像情報を拡大表示することができるのである。
【００１６】
請求項４に記載のデジタル放送受信装置によれば、モニタの解像度、及び、取得された静止画像情報の解像度に基づいて、選択可能な複数の拡大倍率が求められ、外部からの操作入力が受け付けられ、受け付けられた操作入力に基づいて、求められた複数の拡大倍率の中から１の拡大倍率を選択することによって拡大倍率が設定されるため、更に利便性良好に、且つ、更に視認性良好に映像情報に対応する静止画像情報を拡大表示することができる。
【００１７】
すなわち、モニタの解像度、及び、取得された静止画像情報の解像度に基づいて、選択可能な複数の拡大倍率が求められ、求められた複数の拡大倍率の中から１の拡大倍率を選択することによって拡大倍率が設定されるため、適正な拡大倍率を容易に設定することができるので、更に利便性良好に、且つ、更に視認性良好に映像情報に対応する静止画像情報を拡大表示することができるのである。
【発明を実施するための最良の形態】
【００１８】
以下に本発明の実施形態を、図面を参照しながら説明する。図１は、本発明に係るデジタル放送受信機の構成の一例を示すブロック図である。デジタル放送受信機１（デジタル放送受信装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００１９】
デジタル放送受信機１は、リモコン３を介してユーザからの操作入力を受け付けて、受け付けた操作入力に基づいて、デジタル方式のテレビジョン放送を受信し、受信した映像情報及び音声情報を、出力装置２を介して出力するものである。
【００２０】
出力装置２は、ディスプレイ２１及びスピーカ２２を備え、デジタル放送受信機１から入力された音声情報及び映像情報を、対応する音声及び映像として出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、デジタル放送受信機１から入力された映像情報に対応する映像を外部から視認可能に表示するものである。スピーカ２２は、デジタル放送受信機１から入力された音声情報に対応する音声を出力するものである。
【００２１】
リモコン３（静止画像取得手段の一部、倍率設定手段の一部、領域設定手段の一部に相当する）は、ユーザからの操作入力を受け付けて、受け付けられた操作入力に対応する赤外線信号を生成して、デジタル放送受信機１に対して出力するものである。
【００２２】
また、デジタル放送受信機１は、ＭＰＵ１１、ＲＡＭ１２、ＲＯＭ１３、操作部１４、受信部１５、音声出力部１６、ＭＰＥＧ２デコード部１７、及び、画像出力部１８を備えている。
【００２３】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２４】
操作部１４は、電源のＯＮ、ＯＦＦ操作、選局等の各種操作を受け付けるものである。また、操作部１４は、赤外線通信を介して、リモコン３からの操作信号を受け付けて、各種操作を受け付けるものである。受信部１５（受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２５】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２６】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００２７】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２８】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００２９】
次に、デジタル放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３０】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３１】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３２】
図２は、本発明に係るデジタル放送受信機１における主要部の構成の一例を示すブロック図である。ＭＰＵ１１は、機能的に、静止画像取得部１１１、倍率算出部１１２、倍率設定部１１３、領域設定部１１４、及び、拡大表示部１１５を備え、ＲＡＭ１２は、機能的に、静止画像記憶部１２１を備えている。
【００３３】
ここでは、ＭＰＵ１１が、図１に示すＲＯＭ１３等に予め格納された制御プログラムを読み出して実行することにより、静止画像取得部１１１、倍率算出部１１２、倍率設定部１１３、領域設定部１１４、拡大表示部１１５等の機能部として機能すると共に、ＲＡＭ１２を、静止画像記憶部１２１等の機能部として機能させるものである。
【００３４】
また、ＲＡＭ１２、図２に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００３５】
静止画像記憶部１２１は、静止画像取得部１１１によって取得された静止画像情報を格納するものである。なお、静止画像記憶部１２１に格納された静止画像情報は、領域設定部１１４及び拡大表示部１１５によって読み出されるものである。
【００３６】
静止画像取得部１１１（静止画像取得手段の一部に相当する）は、リモコン３を介してユーザからの操作入力を受け付け、受け付けられた操作入力に基づいて、受信部１５を介して受信された映像情報に対応する静止画像情報を取得し、取得した静止画像情報を静止画像記憶部１２１に書き込むものである。具体的には、静止画像取得部１１１は、例えば、リモコン３に配設された一時停止キーが押下された場合に、受信部１５を介して受信された映像情報に対応する静止画像情報を取得するものである。
【００３７】
倍率算出部１１２（倍率算出手段に相当する）は、ディスプレイ２１の解像度、及び、静止画像取得部１１１によって取得された静止画像情報の解像度に基づいて、選択可能な複数の拡大倍率を求めるものである。例えば、ディスプレイ２１の解像度が、横方向に６４０画素であり、縦方向に４８０画素であって、静止画像情報の解像度が、横方向に１９２０画素であり、縦方向に１０８０画素である場合について説明する。
【００３８】
この場合には、静止画像情報の解像度が、ディスプレイ２１の解像度に対して、縦方向に３倍であって、横方向に２．２５倍であるため、倍率算出部１１２は、選択可能な複数の拡大倍率を、拡大倍率Ａ（縦方向６倍、横方向４．５倍）、拡大倍率Ｂ（縦方向３倍、横方向２．２５倍）、拡大倍率Ｃ（縦方向１．５倍、横方向１．１２５倍）として求めるものである。
【００３９】
すなわち、倍率算出部１１２は、静止画像情報の解像度のディスプレイ２１の解像度に対する比率（ここでは、縦方向に３倍、横方向に２．２５倍）の整数倍（例えば、２倍）、又は、１／整数倍（例えば、１／２倍）の拡大倍率を、選択可能な拡大倍率として求めるものである。このように、静止画像情報の解像度のディスプレイ２１の解像度に対する比率（ここでは、縦方向に３倍、横方向に２．２５倍）の整数倍（例えば、２倍）、又は、１／整数倍（例えば、１／２倍）の拡大倍率に設定することによって、拡大表示部１１５による拡大表示処理が簡素化されるのである。
【００４０】
倍率設定部１１３（倍率設定手段の一部に相当する）は、リモコン３を介してユーザからの操作入力を受け付け、受け付けられた操作入力に基づいて、拡大倍率を設定するものである。具体的には、倍率設定部１１３は、リモコン３を介してユーザからの操作入力を受け付け、受け付けられた操作入力に基づいて、倍率算出部１１２によって求められた複数の拡大倍率（ここでは、拡大倍率Ａ〜拡大倍率Ｃ）の中から１の拡大倍率を選択することによって拡大倍率を設定するものである。
【００４１】
領域設定部１１４（領域設定手段の一部に相当する）は、静止画像取得部１１１によって取得された静止画像情報をディスプレイ２１に表示すると共に、リモコン３を介してユーザからの操作入力を受け付け、受け付けられた操作入力に基づいて、予め設定された複数の拡大領域の中から１の拡大領域を選択することによって拡大領域を設定するものである。
【００４２】
具体的には、領域設定部１１４は、倍率設定部１１３によって設定された拡大倍率に対応する複数の拡大領域を選択可能にディスプレイ２１に表示すると共に、リモコン３を介してユーザからの操作入力を受け付け、受け付けられた操作入力に基づいて、予め設定された複数の拡大領域の中から１の拡大領域を選択することによって拡大領域を設定するものである。
【００４３】
例えば、倍率設定部１１３によって拡大倍率Ａ（縦方向６倍、横方向４．５倍）が設定された場合には、領域設定部１１４は、ディスプレイ２１に表示された静止画像を、縦方向６個、横方向８個（計４８個）に均等に分割した拡大領域を表示し、倍率設定部１１３によって拡大倍率Ｂ（縦方向３倍、横方向２．２５倍）が設定された場合には、領域設定部１１４は、ディスプレイ２１に表示された静止画像を、縦方向３個、横方向４個（計１２個）に均等に分割した拡大領域を表示し、倍率設定部１１３によって拡大倍率Ｃ（縦方向１．５倍、横方向１．１２５倍）が設定された場合には、領域設定部１１４は、ディスプレイ２１に表示された静止画像を、縦方向２個、横方向３個（計６個）に均等に分割した拡大領域を表示する（図４（ｂ）参照）ものである。
【００４４】
拡大表示部１１５（拡大表示手段に相当する）は、拡大領域に含まれる静止画像情報を静止画像取得部１１１から読み出して、ディスプレイ２１に倍率設定部１１３によって設定された拡大倍率（ここでは、拡大倍率Ａ〜拡大倍率Ｃのいずれかの拡大倍率）に拡大して表示するものである。
【００４５】
図３は、デジタル放送受信機１（主にＭＰＵ１１）の動作の一例を示すフローチャートである。まず、静止画像取得部１１１によって、リモコン３に配設された一時停止キーが押下されたか否かの判定が行われる（Ｓ１０１）。一時停止キーが押下されていないと判定された場合（Ｓ１０１でＮＯ）には、処理が待機状態とされる。一時停止キーが押下されたと判定された場合（Ｓ１０１でＹＥＳ）には、静止画像取得部１１１によって、受信部１５を介して受信された映像情報に対応する静止画像情報が取得され、静止画像記憶部１２１に書き込まれる（Ｓ１０３）。
【００４６】
そして、倍率算出部１１２によって、ディスプレイ２１の解像度、及び、静止画像取得部１１１によって取得された静止画像情報の解像度に基づいて、選択可能な複数の拡大倍率（ここでは、拡大倍率Ａ〜拡大倍率Ｃ）が求められる（Ｓ１０５）。次いで、倍率設定部１１３によって、ステップＳ１０５において求められた複数の拡大倍率（ここでは、拡大倍率Ａ〜拡大倍率Ｃ）から１の拡大倍率が選択されたか否かの判定が行われる（Ｓ１０７）。拡大倍率が選択されていないと判定された場合（Ｓ１０７でＮＯ）には、処理が待機状態とされる。
【００４７】
拡大倍率が選択されたと判定された場合（Ｓ１０７でＹＥＳ）には、領域設定部１１４によって、ステップＳ１０７において選択された拡大倍率に対応する複数の拡大領域が選択可能にディスプレイ２１に表示される（Ｓ１０９）。そして、領域設定部１１４によって、拡大領域が選択されたか否かの判定が行われる（Ｓ１１１）。拡大領域が選択されていないと判定された場合（Ｓ１１１でＮＯ）には、処理が待機状態とされる。拡大領域が選択されたと判定された場合（Ｓ１１１でＹＥＳ）には、拡大表示部１１５によって、ステップＳ１１１において選択された拡大領域が、ステップＳ１０７において選択された拡大倍率に拡大され、ディスプレイ２１に表示され（Ｓ１１３）、処理が終了される。
【００４８】
図４は、図３に示すフローチャートのステップＳ１０９において表示される拡大領域設定画面の一例を示す画面図である。（ａ）は、図３に示すフローチャートのステップＳ１０３において取得された静止画像情報に対応する静止画像の一例を示す画面４００であり、（ｂ）は、フローチャートのステップＳ１０９において表示される拡大領域設定画面４１０である。
【００４９】
（ａ）に示すように、画面４００には、画面略中央部に、拡大する対象の画像４０１が表示されている。（ｂ）に示すように、拡大領域設定画面４１０には、画面略中央部に、拡大する対象の画像４１１が表示され、拡大領域設定画面４１０を縦方向２個、横方向３個（計６個）に均等に分割した拡大領域４１２が表示されている、また、画面右上の拡大領域４１２の周囲には、この拡大領域４１２が選択された状態であることを示す選択状態表示マーク４１３が表示されている。
【００５０】
ユーザは、例えば、リモコン３に配設された上下、左右の方向キーを押下することによって、選択状態表示マーク４１３をユーザが拡大表示を所望する対象の拡大領域４１２に移動させることによって、拡大領域４１２を選択することができる。
【００５１】
図５は、図３に示すフローチャートのステップＳ１１３において表示される拡大画像表示画面の一例を示す画面図である。（ａ）は、本発明に係るデジタル放送受信機１によって表示される拡大画像表示画面４２０であり、（ｂ）は、従来のデジタル放送受信機によって表示される拡大画像表示画面４３０である。拡大画像表示画面４２０及び拡大画像表示画面４３０には、それぞれ、図４（ｂ）に示す拡大領域設定画面４１０において設定された拡大領域４１２（ここでは、画面右上の拡大領域４１２）を、設定された拡大倍率（ここでは、拡大倍率Ｃ：縦方向１．５倍、横方向１．１２５倍）に拡大した拡大画像４２１、４３１が表示されている。
【００５２】
（ａ）に示す拡大画像表示画面４２０の拡大画像４２１の輪郭線４２２は、平滑な線が表示されているが、（ｂ）に示す拡大画像表示画面４３０の拡大画像４３１の輪郭線４３２は、不連続な線が表示されている。すなわち、本発明に係る拡大画像４２１は、静止画像取得部１１１によって取得されたデジタル放送に対応する高解像度（横方向に１９２０画素であり、縦方向に１０８０画素）の静止画像情報に基づいて表示されているため、視認性良好な拡大画像４２１が表示されているのである。
【００５３】
このようにして、受信部１５によって、予め設定された１のチャンネルのデジタル放送が受信され、リモコン３を介してユーザからの操作入力（ここでは、リモコン３に配設された一時停止キーの押下）が受け付けられ、受け付けられた操作入力に基づいて、受信部１５を介して受信された映像情報に対応する静止画像情報が取得される。そして、リモコン３を介してユーザからの操作入力（ここでは、リモコン３に配設された方向キーの押下）が受け付けられ、受け付けられた操作入力に基づいて、取得された静止画像情報の内、拡大する対象の領域である拡大領域が設定され、拡大領域に含まれる静止画像情報が、ディスプレイ２１に予め設定された拡大倍率に拡大して表示されるため、視認性良好に映像情報に対応する静止画像情報を拡大表示することができる。
【００５４】
すなわち、受信部１５を介して受信されたデジタル放送の映像情報に対応する静止画像情報が取得され、取得された静止画像情報の内、拡大する対象の領域である拡大領域が設定され、拡大領域に含まれる静止画像情報が、ディスプレイ２１に予め設定された拡大倍率に拡大して表示されるため、静止画像情報がデジタル放送の映像情報に対応するものである（＝ＨＤ映像等の高品位の映像情報である：ここでは、横方向に１９２０画素であり、縦方向に１０８０画素である）ので、ディスプレイ２１の解像度が低い場合（ここでは、横方向に６４０画素であり、縦方向に４８０画素である場合）であっても、視認性良好に映像情報に対応する静止画像情報を拡大表示することができるのである。
【００５５】
また、取得された静止画像情報がディスプレイ２１に表示されると共に、リモコン３を介してユーザからの操作入力（ここでは、リモコン３に配設された方向キーの押下）が受け付けられ、受け付けられた操作入力に基づいて、予め設定された複数の拡大領域（例えば、６個の拡大領域：図４（ｂ）参照）の中から１の拡大領域を選択することによって拡大領域が設定されるため、利便性良好に映像情報に対応する静止画像情報を拡大表示することができる。
【００５６】
すなわち、取得された静止画像情報がディスプレイ２１に表示されると共に、リモコン３を介してユーザからの操作入力（ここでは、リモコン３に配設された方向キーの押下）が受け付けられ、受け付けられた操作入力に基づいて、予め設定された複数の拡大領域（例えば、６個の拡大領域：図４（ｂ）参照）の中から１の拡大領域を選択することによって拡大領域が設定されるため、ユーザは拡大領域を容易に設定することができるので、利便性良好に映像情報に対応する静止画像情報を拡大表示することができるのである。
【００５７】
更に、リモコン３を介してユーザからの操作入力が受け付けられ、受け付けられた操作入力に基づいて、拡大倍率が設定され、設定された拡大倍率（例えば、拡大倍率Ｃ：縦方向１．５倍、横方向１．１２５倍）に対応する複数の拡大領域（例えば、６個の拡大領域：図４（ｂ）参照）が選択可能にディスプレイ２１に表示される。そして、拡大領域に含まれる静止画像情報が、設定された拡大倍率に拡大してディスプレイ２１に表示されるため、更に利便性良好に映像情報に対応する静止画像情報を拡大表示することができる。
【００５８】
すなわち、拡大領域に含まれる静止画像情報が、設定された拡大倍率（例えば、拡大倍率Ｃ：縦方向１．５倍、横方向１．１２５倍）に拡大してディスプレイ２１に表示されるため、ユーザが所望する拡大倍率に設定することができるので、更に利便性良好に映像情報に対応する静止画像情報を拡大表示することができるのである。
【００５９】
加えて、ディスプレイ２１の解像度（ここでは、横方向に６４０画素、縦方向に４８０画素）、及び、取得された静止画像情報の解像度（ここでは、横方向に１９２０画素、縦方向に１０８０画素）に基づいて、選択可能な複数の拡大倍率（ここでは、拡大倍率Ａ〜拡大倍率Ｃ）が求められ、リモコン３を介してユーザからの操作入力が受け付けられ、受け付けられた操作入力に基づいて、求められた複数の拡大倍率の中から１の拡大倍率（例えば、拡大倍率Ｃ：縦方向１．５倍、横方向１．１２５倍）を選択することによって拡大倍率が設定されるため、更に利便性良好に、且つ、更に視認性良好に映像情報に対応する静止画像情報を拡大表示することができる。
【００６０】
すなわち、ディスプレイ２１の解像度（ここでは、横方向に６４０画素、縦方向に４８０画素）、及び、取得された静止画像情報の解像度（ここでは、横方向に１９２０画素、縦方向に１０８０画素）に基づいて、選択可能な複数の拡大倍率（ここでは、拡大倍率Ａ〜拡大倍率Ｃ）が求められ、求められた複数の拡大倍率の中から１の拡大倍率（例えば、拡大倍率Ｃ：縦方向１．５倍、横方向１．１２５倍）を選択することによって拡大倍率が設定されるため、適正な拡大倍率を容易に設定することができるので、更に利便性良好に、且つ、更に視認性良好に映像情報に対応する静止画像情報を拡大表示することができるのである。
【００６１】
なお、本発明は、以下の形態にも適用可能である。
（Ａ）本実施形態では、デジタル放送受信装置が、デジタル放送を受信するデジタル放送受信機１である場合について説明したが、デジタル放送受信装置が、デジタル放送及びアナログ放送を受信する形態でもよい。
【００６２】
（Ｂ）本実施形態では、ＭＰＵ１１が、静止画像取得部１１１、倍率算出部１１２、倍率設定部１１３、領域設定部１１４、拡大表示部１１５等の機能部を備える場合について説明したが、静止画像取得部１１１、倍率算出部１１２、倍率設定部１１３、領域設定部１１４、及び、拡大表示部１１５の内、少なくとも１の機能部が、回路等のハードウェアによって実現されている形態でもよい。
【００６３】
（Ｃ）本実施形態では、倍率設定部１１３が倍率算出部１１２によって求められた複数の拡大倍率（ここでは、拡大倍率Ａ〜拡大倍率Ｃ）の中から１の拡大倍率を選択する場合について説明したが、倍率設定部１１３が、リモコン３を介してユーザからの拡大倍率の操作入力を受け付け、受け付けられた拡大倍率の操作入力に対応する拡大倍率を設定する形態でもよい。この場合には、ユーザの所望する拡大倍率を更に的確に設定することができる。
【図面の簡単な説明】
【００６４】
【図１】は、本発明に係るデジタル放送受信機の構成の一例を示すブロック図である。
【図２】は、本発明に係るデジタル放送受信機における主要部の構成の一例を示すブロック図である。
【図３】は、デジタル放送受信機（主にＭＰＵ）の動作の一例を示すフローチャートである。
【図４】は、図３に示すフローチャートのステップＳ１０９において表示される拡大領域設定画面の一例を示す画面図である。
【図５】は、図３に示すフローチャートのステップＳ１１３において表示される拡大画像表示画面の一例を示す画面図である。
【符号の説明】
【００６５】
１    デジタル放送受信機（デジタル放送受信装置）
１１    ＭＰＵ
１１１    静止画像取得部（静止画像取得手段の一部）
１１２    倍率算出部（倍率算出
１１３    倍率設定部（倍率設定手段の一部）
１１４    領域設定部（領域設定手段の一部）
１１５    拡大表示部（拡大表示手段）
１２    ＲＡＭ
１２１    静止画像記憶部
１５    受信部（受信手段）
２    出力装置
２１    ディスプレイ（モニタ）
３    リモコン（静止画像取得手段の一部、倍率設定手段の一部、領域設定手段の一部）
【図１】
2008294898.tif 000003
【図２】
2008294898.tif 000004
【図３】
2008294898.tif 000005
【図４】
2008294898.tif 000006
【図５】
2008294898.tif 000007